(57)【要約】【課題】給湯装置が置かれた家の人の様子の変化を携帯端末装置の操作者に気づかせることができやすい給湯システム、給湯装置およびプログラムを提供する。【解決手段】給湯システム１は、給湯装置１０を携帯端末装置３０により遠隔監視する。給湯システム１は、携帯端末装置３０に設けられた表示部３０１と、給湯装置１０が所定期間の間に所定動作を行わない場合に、表示部３０１に報知を行わせる制御部３０３と、を備える。所定動作は、給湯動作およびお風呂の使用に係る動作のうち少なくとも一つの動作を含み得る。【選択図】図２
2020036242.tif 000002
【特許請求の範囲】
【請求項１】
給湯装置を携帯端末装置により遠隔監視する給湯システムにおいて、
前記携帯端末装置に設けられた報知部と、
前記給湯装置が所定期間の間に所定動作を行わない場合に、前記報知部に報知を行わせる制御部と、
を備えることを特徴とする給湯システム。
【請求項２】
請求項１に記載の給湯システムにおいて、
前記所定動作は、給湯動作およびお風呂の使用に係る動作のうち少なくとも一つの動作を含む、
ことを特徴とする給湯システム。
【請求項３】
請求項１または２に記載の給湯システムにおいて、
前記携帯端末装置に設けられた入力部を、さらに備え、
前記制御部は、前記入力部で行われた前記所定期間および前記所定動作のうち少なくとも一つの動作を設定するための入力を受け付ける、
ことを特徴とする給湯システム。
【請求項４】
給湯装置において、
通信部を備え、
請求項１ないし３の何れか一項に記載の給湯システムの前記制御部が、前記給湯装置が前記所定期間の間に前記所定動作を行なったか否かを判定するための状態情報を前記通信部から出力する、
ことを特徴とする給湯装置。
【請求項５】
報知部を備える携帯端末装置のコンピュータに、前記携帯端末装置により遠隔監視される給湯装置が所定期間の間に所定動作を行わない場合に、前記報知部に報知を行わせる機能を実行させるプログラム。
【請求項６】
請求項５に記載のプログラムにおいて、
前記携帯端末装置の入力部で行われた前記所定期間および前記所定動作のうち少なくとも一つの動作を設定するための入力を受け付ける機能を、さらに含む、
ことを特徴とするプログラム。
【発明の詳細な説明】
【技術分野】
【０００１】
本発明は、外部通信網と接続可能な給湯装置を携帯端末装置によって遠隔制御する給湯システム、当該給湯システムを構成可能な給湯装置、および当該給湯システムと通信が可能な携帯端末装置に所定の制御を実行させるプログラムに関する。
【背景技術】
【０００２】
近年、風呂機能や床暖房機能等を有する給湯装置を携帯電話機等の携帯端末装置を用いて遠隔監視できる給湯システムが検討されている。この給湯システムによれば、たとえば、給湯装置の設定状態（給湯温度、ふろ温度等）や使用状況（お湯の使用、ふろの使用等）が監視され、これらに係る情報が携帯端末装置に送信される。携帯端末装置の操作者は、携帯端末装置にインストールされた給湯システムのアプリケーションプログラムを起動し、送信された情報を表示部に表示させる。これにより、家族、親族などの家から離れて暮らす携帯端末装置の操作者が、その家に置かれた給湯装置の使用状況を監視することで、家族、親族などの様子に変化がないかを見守ることができる。
【０００３】
ここで、遠隔監視に係る技術として、ガスメータが計測したガスの使用量がサーバに送信され、サーバからユーザの携帯端末にガスの使用抑制を促す通知を行う技術については、以下の特許文献１に記載されている。
【先行技術文献】
【特許文献】
【０００４】
【特許文献１】特許第６１３４４５８号公報
【発明の概要】
【発明が解決しようとする課題】
【０００５】
上記のような給湯システムでは、携帯端末装置の操作者は、その都度、アプリケーションプログラムを起動するなどの携帯端末装置への操作を行って給湯装置の使用状況を確認しなければならない。このため、操作者はつい億劫になって監視を忘れがちになりやすい。こうなると、操作者は、家族、親族など、給湯装置が置かれた家の人の様子の変化に気づくことができない虞がある。
【０００６】
かかる課題に鑑み、本発明は、給湯装置が置かれた家の人の様子の変化を携帯端末装置の操作者に気づかせることができやすい給湯システム、給湯装置およびプログラムを提供することを目的とする。
【課題を解決するための手段】
【０００７】
本発明の第１の態様は、給湯装置を携帯端末装置により遠隔監視する給湯システムに関する。本態様に係る給湯システムは、前記携帯端末装置に設けられた報知部と、前記給湯装置が所定期間の間に所定動作を行わない場合に、前記報知部に報知を行わせる制御部と、を備える。
【０００８】
前記所定動作は、給湯動作およびお風呂の使用に係る動作のうち少なくとも一つの動作を含み得る。ここで、「お風呂の使用に係る動作」には、たとえば、浴槽に湯を張る動作、浴槽内の湯を追い焚きする動作、浴槽内に足し湯を行う動作などが含まれ得る。
【０００９】
上記の構成によれば、給湯装置が所定期間の間に所定動作を行わない場合に、携帯端末装置に報知が行われることで、携帯端末装置の操作者が、給湯装置が置かれた家の人（家族、親族）の様子の変化に気づくことができ、その人に連絡を取るなどの適正な対応を採ることが可能となる。
【００１０】
本態様に係る給湯システムにおいて、前記携帯端末装置に設けられた入力部を、さらに備えるような構成が採られ得る。この場合、前記制御部は、前記入力部で行われた前記所定期間および前記所定動作のうち少なくとも一つの動作を設定するための入力を受け付ける。
【００１１】
上記の構成によれば、操作者は、見守りたい家の人の状況（生活習慣等）に応じて所定期間および所定動作を決めることができる。
【００１２】
本発明の第２の態様は、給湯装置に関する。本態様に係る給湯装置は、通信部を備え、第１の態様の給湯システムの前記制御部が、前記給湯装置が前記所定期間の間に前記所定動作を行なったか否かを判定するための状態情報を前記通信部から出力する。
【００１３】
上記の構成によれば、第１の態様と同様、携帯端末装置の操作者が、給湯装置が置かれた家の人（家族、親族）の様子の変化に気づくことができ、その人に連絡を取るなどの適正な対応を採ることが可能となる。
【００１４】
本発明の第３の態様は、プログラムに関する。本態様に係るプログラムは、報知部を備える携帯端末装置のコンピュータに、前記携帯端末装置により遠隔監視される給湯装置が所定期間の間に所定動作を行わない場合に、前記報知部に報知を行わせる機能を実行させる。
【００１５】
上記の構成によれば、第１の態様と同様、携帯端末装置の操作者が、給湯装置が置かれた家の人（家族、親族）の様子の変化に気づくことができ、その人に連絡を取るなどの適正な対応を採ることが可能となる。
【００１６】
本態様に係るプログラムにおいて、前記携帯端末装置の入力部で行われた前記所定期間および前記所定動作のうち少なくとも一つの動作を設定するための入力を受け付ける機能を、さらに含むような構成が採られる。
【００１７】
上記の構成によれば、第１の態様と同様、操作者は、見守りたい家の人の状況（生活習慣等）に応じて所定期間および所定動作を決めることができる。
【発明の効果】
【００１８】
以上のとおり、本発明によれば、給湯装置が置かれた家の人の様子の変化を携帯端末装置の操作者に気づかせることができやすい給湯システム、給湯装置およびプログラムを提供できる。
【００１９】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００２０】
【図１】図１は、実施形態に係る、給湯システムの構成を示す図である。
【図２】図２は、実施形態に係る、給湯システムを構成する各機器の回路ブロックを示す図である。
【図３】図３（ａ）、（ｂ）は、それぞれ、実施形態に係る、給湯装置と携帯端末装置とをペアリングするための、台所リモコンと携帯端末装置における処理を示すフローチャートである。
【図４】図４（ａ）は、実施形態に係る、携帯端末装置において管理される給湯装置と携帯端末装置とのペアリング情報の構成を示す図である。図４（ｂ）、（ｃ）は、実施形態に係る、携帯端末装置を用いて遠隔制御を行う際に携帯端末装置に表示される画面を示す図である。
【図５】図５は、実施形態に係る、第１遠隔監視画面を示す図である。
【図６】図６（ａ）は、実施形態に係る、第２遠隔監視画面を示す図であり、図６（ｂ）は、実施形態に係る、遠隔操作画面を示す図である。
【図７】図７は、実施形態に係る、設定処理を示すフローチャートである。
【図８】図８（ａ）は、実施形態に係る、対象設定画面の構成を示す図であり、図８（ｂ）、（ｃ）は、実施形態に係る、期間設定画面の構成を示す図である。
【図９】図９（ａ）は、実施形態に係る、お湯の使用が選択されたときに実行される監視・報知処理を示すフローチャートであり、図９（ｂ）は、実施形態に係る、お風呂の使用が選択されたときに実行される監視・報知処理を示すフローチャートである。
【図１０】図１０（ａ）は、実施形態に係る、お湯の使用がない場合の報知ウィンドウの構成を示す図であり、図１０（ａ）は、実施形態に係る、お風呂の使用がない場合の報知ウィンドウの構成を示す図である。
【発明を実施するための形態】
【００２１】
以下、本発明の実施形態について図面を参照して説明する。
【００２２】
図１は、実施形態に係る、給湯システム１の構成を示す図である。
【００２３】
図１に示すように、給湯システム１は、給湯装置１０と、ルータ２０と、携帯端末装置３０と、外部通信網４０と、サーバ５０とを備える。
【００２４】
給湯装置１０は、給湯器１１と、リモートコントローラ１２、１３を備えている。給湯器１１は、ガスを燃料として湯を供給するガス給湯器である。給湯器１１により生成された湯は、給湯口１１ａにそれぞれ接続された配管を介して、台所の蛇口や、浴槽、カラン等に供給される。給湯器１１が、床暖房機能や、浴室暖房機能およびパネルヒータによる暖房機能を備える場合、これら機能を実現する機器に対して、給湯器１１から湯が供給される。
【００２５】
給湯装置１０は、カラン等に湯を供給する給湯機能、浴槽にお湯を張る湯張り機能の他、浴槽内に湯が張られた後にその湯を保温する保温機能と、浴槽内の湯を追い焚きする追い焚き機能と、浴槽内にお湯を足す足し湯機能とを備える。湯張り機能とそれに続く保温機能とが合わされて、ふろ自動機能とされる。保温機能および追い焚き機能では、浴槽と給湯器１１との間でお湯が循環し循環中のお湯が加熱されることによってお湯が熱くなる。保温機能と追い焚き機能では、新たなお湯の使用はない。
【００２６】
リモートコントローラ１２、１３は、給湯器１１に接続され、給湯装置１０の各機能について種々の設定を行うために用いられる。リモートコントローラ１２、１３は、それぞれ、表示部１２１、１３１と、入力部１２２、１３２とを備える。操作者は、表示部１２１、１３１に表示された画面に従って入力部１２２、１３２を操作することにより、湯張りや給湯温度調節等について、任意の設定を行うことができる。リモートコントローラ１２は、浴室に設置され、リモートコントローラ１３は、キッチン等に設置される。
【００２７】
以下、浴室に設置されるリモートコントローラ１２を、「浴室リモコン１２」と称し、キッチン等に設置されるリモートコントローラ１３を、「台所リモコン１３」と称する。
【００２８】
ルータ２０は、建物内（ここでは、宅内Ｈ１０）に存在する各機器を、外部通信網４０を介してサーバ５０に接続するための無線ルータである。ルータ２０には、ルータごとに個別に割り振られる識別子として、固有のＢＳＳＩＤ（Basic Service Set Identifier）が割り振られている。
【００２９】
台所リモコン１３は、無線通信により、ルータ２０に接続される。また、携帯端末装置３０が宅内Ｈ１０に存在する場合、携帯端末装置３０は、無線通信によりルータ２０に接続されて、サーバ５０と通信可能である。携帯端末装置３０は、たとえば、携帯電話機である。この他、携帯端末装置３０が、携帯型のタブレット端末等の他の携帯可能な端末装置であってもよい。外部通信網４０は、たとえば、インターネットである。
【００３０】
外部通信網４０には、給湯装置１０に対する遠隔制御（遠隔操作および遠隔監視）を管理するためのサーバ５０が接続されている。台所リモコン１３は、ルータ２０および外部通信網４０を介して、サーバ５０と通信を行う。携帯端末装置３０が宅内Ｈ１０に存在する場合、携帯端末装置３０は、ルータ２０および外部通信網４０を介してサーバ５０と通信を行う。また、携帯端末装置３０が宅外にある場合、携帯端末装置３０は、外部に設置されたルータ６０または基地局７０を介して外部通信網４０に接続され、サーバ５０と通信を行う。
【００３１】
台所リモコン１３と携帯端末装置３０には、給湯システム１のアプリケーションプログラムが、サーバ５０からダウンロードされ、インストールされている。このアプリケーションプログラムに、サーバ５０にアクセスするためのアドレス情報（ＩＰアドレス）が含まれている。台所リモコン１３と携帯端末装置３０は、このアドレス情報に基づいて、サーバ５０にアクセスし、通信を行う。台所リモコン１３のアドレス情報は、初期設定の際に、サーバ５０に送信され保持される。また、携帯端末装置３０のアドレス情報は、後述のペアリング処理の際に、携帯端末装置３０から台所リモコン１３に渡されて、台所リモコン１３からサーバ５０に送信され保持される。
【００３２】
本実施形態では、台所リモコン１３および携帯端末装置３０のアドレス情報として、後述の台所リモコン１３の無線通信部１３６および携帯端末装置３０の無線通信部３０５（図２参照）に保持されたＭＡＣ（Media Access Control）アドレスが用いられる。台所リモコン１３および携帯端末装置３０のアドレス情報として、台所リモコン１３の無線通信部１３６および携帯端末装置３０の無線通信部３０５のグローバルＩＰアドレスが用いられてもよい。
【００３３】
図１の構成において、操作者は、宅内Ｈ１０と宅外の何れにおいても、携帯端末装置３０を用いて、給湯装置１０に対する遠隔制御（遠隔操作およびは遠隔監視）を行うことができる。後述のように、本実施形態では、携帯端末装置３０ごとに、遠隔制御の対象の給湯装置１０が予め対応付けられ。また、遠隔制御の対象の給湯装置１０に対して、遠隔制御の種類、すなわち、遠隔操作と遠隔監視の両方または何れか一方が予め設定される。本実施形態では、これらの対応付けと遠隔制御の種類が、携帯端末装置３０ごとに、サーバ５０で管理される。
【００３４】
携帯端末装置３０が宅内Ｈ１０と宅外の何れにある場合も、操作者から携帯端末装置３０に入力された設定要求は、外部通信網４０を介して、一旦、サーバ５０に送信される。これを受けて、サーバ５０は、設定要求を受信した携帯端末装置３０に予め対応付けられている給湯装置１０に対して、受信した設定要求を送信する。これにより、設定要求が、外部通信網４０およびルータ２０を介して、対応する給湯装置１０の台所リモコン１３に送信される。こうして、操作者が要求する内容の設定が、給湯装置１０に対して適用される。
【００３５】
また、給湯装置１０の状態情報は、所定周期で随時、台所リモコン１３からルータ２０を介してサーバ５０に送信される。サーバ５０は、受信した状態情報を、給湯装置１０ごとに管理する。操作者から携帯端末装置３０に入力された遠隔監視の閲覧要求は、外部通信網４０を介して、一旦、サーバ５０に送信される。これを受けて、サーバ５０は、閲覧要求を受信した携帯端末装置３０に予め対応付けられている給湯装置１０のうち、閲覧要求により指定された給湯装置１０の状態情報を、当該携帯端末装置３０に送信する。これにより、給湯装置１０の状態が、携帯端末装置３０において出力される。こうして、操作者は、給湯装置１０の状態を、宅内および宅外の両方において確認できる。
【００３６】
図２は、給湯システム１を構成する各機器の回路ブロックを示す図である。
【００３７】
給湯器１１は、制御部１１１と、記憶部１１２と、通信部１１３と、水位センサ１１４と、流量センサ１１５と、を備える。制御部１１１は、ＣＰＵ（Central Processing Unit）を備え、記憶部１１２に記憶されたプログラムに従って、給湯器１１内の各部の制御を行う。記憶部１１２は、メモリを備え、所定の制御プログラムを記憶する。通信部１１３は、制御部１１１からの制御に従って、浴室リモコン１２および台所リモコン１３と通信を行う。
【００３８】
水位センサ１１４は、給湯装置１０が接続された浴槽の水位を検出する。水位センサ１１４は、たとえば、浴槽に接続された配管内の水圧によって浴槽の水位を検出する。制御部１１１は、水位センサ１１４により検出される水位の変化によって、浴槽に対し人が入浴および退出したことを検出する。流量センサ１１５は、給湯口１１ａに接続された配管を流れる湯の流量を検出する。制御部１１１は、浴槽、カラン等に湯が供給されている時間と、流量センサ１１５が検出した流量により、お湯の使用量を求めることができる。
【００３９】
浴室リモコン１２は、上述の表示部１２１および入力部１２２の他、制御部１２３と、記憶部１２４と、通信部１２５と、入室センサ１２６とを備える。表示部１２１は、たとえば、液晶パネルにより構成される。入力部１２２は、温度設定ボタン等の各種操作ボタンを備える。表示部１２１が、タッチパネルであってもよい。制御部１２３は、ＣＰＵを備え、記憶部１２４に記憶されたプログラムに従って所定の制御を行う。記憶部１２４は、メモリを備え、所定の制御プログラムを記憶する。通信部１２５は、制御部１２３からの制御に従って、給湯器１１と通信を行う。入室センサ１２６は、浴室に対する人の出入りを検出する。入室センサ１２６は、たとえば、赤外線を用いた人感センサである。制御部１２３は、入室センサ１２６の出力に基づいて、浴室に人が入ったことを検出する。
【００４０】
台所リモコン１３は、上述の表示部１３１および入力部１３２の他、制御部１３３と、記憶部１３４と、通信部１３５を備える。表示部１３１は、たとえば、液晶パネルにより構成される。入力部１３２は、各種操作ボタンを備える。表示部１３１が、タッチパネルであってもよい。制御部１３３は、ＣＰＵを備え、記憶部１３４に記憶されたプログラムに従って所定の制御を行う。記憶部１３４は、メモリを備え、所定の制御プログラムを記憶する。通信部１３５は、制御部１３３からの制御に従って、給湯器１１と通信を行う。
【００４１】
さらに、台所リモコン１３は、無線通信部１３６を備える。ここで、無線通信部１３６は、ルータ２０との間で無線通信が可能な無線通信モジュールである。無線通信部１３６（無線通信モジュール）には、宅内Ｈ１０に設定されたＬＡＮ（Local Area Network）上の機器を特定するためのＩＰアドレスが割り振られている。この他、台所リモコン１３は、音声を出力するためのスピーカを備えている。
【００４２】
携帯端末装置３０は、表示部３０１と、入力部３０２と、制御部３０３と、記憶部３０４と、無線通信部３０５とを備える。表示部３０１は、たとえば、液晶パネルにより構成される。入力部１３２は、各種操作ボタンと、表示部３０１に積層されたタッチパネルとを備える。
【００４３】
制御部３０３は、ＣＰＵを備え、記憶部３０４に記憶されたプログラムに従って所定の制御を行う。記憶部３０４は、メモリを備え、所定の制御プログラムを記憶する。無線通信部３０５は、制御部３０３からの制御に従って、ルータ２０と通信を行う。無線通信部３０５は、ルータ２０との間で無線通信が可能な無線通信モジュールである。無線通信部３０５にもＩＰアドレスが割り振られている。この他、携帯端末装置３０は、音声を出力するためのスピーカを備えている。
【００４４】
サーバ５０は、制御部５０１と、記憶部５０２と、通信部５０３を備える。制御部５０１は、ＣＰＵを備え、記憶部５０２に記憶されたプログラムに従って所定の制御を行う。記憶部５０２は、メモリおよびハードディスクを備え、所定の制御プログラムおよびデータベースを記憶する。通信部５０３は、制御部５０１からの制御に従って、所定の制御を行う。
【００４５】
上述のように、本実施形態では、予め、給湯装置１０に対して遠隔制御および遠隔監視を行うことが可能な携帯端末装置３０が、給湯装置１０に対応付けて、サーバ５０に登録される。すなわち、予め、給湯装置１０と携帯端末装置３０とがペアリングされ、ペアリングを示す情報が、サーバ５０において管理される。
【００４６】
本実施形態では、このペアリングが、給湯装置１０が設置された建物内のルータ２０を介して行われる。すなわち、携帯端末装置３０の所持者は、原則、給湯装置１０が設置された建物内に携帯端末装置３０を所持して立ち入らなければ、自身の携帯端末装置３０と給湯装置１０とをペアリングできない。これにより、悪意の第三者によって不当に、携帯端末装置３０と給湯装置１０とがペアリングされることを防止できる。よって、不当に遠隔制御および遠隔監視が行われるリスクを解消できる。
【００４７】
図３（ａ）、（ｂ）は、それぞれ、給湯装置１０と携帯端末装置３０とをペアリングするための、台所リモコン１３と携帯端末装置３０における処理を示すフローチャートである。
【００４８】
操作者は、宅内Ｈ１０において、携帯端末装置３０にインストールされた給湯システム１のアプリケーションプログラムを起動し、携帯端末装置３０をペアリングモードに設定する。その後、操作者は、台所リモコン１３の入力部１３２に対し、ペアリングのための操作を行う。
【００４９】
こうして、台所リモコン１３に対してペアリング操作が行われると（Ｓ１１：ＹＥＳ）、台所リモコン１３の制御部１３３は、ペアリングのためのアナウンスをブロードキャストで送信する（Ｓ１２）。携帯端末装置３０が宅内Ｈ１０にある場合、このアナウンスは携帯端末装置３０により受信される。
【００５０】
携帯端末装置３０の制御部３０３は、このアナウンスを受信すると（Ｓ２１：ＹＥＳ）、表示部３０１に、ペアリングを要求する操作を受け付けるための受付画面を表示させる（Ｓ２２）。操作者は、この受付画面で要求操作を行う。これにより、制御部３０３は、ペアリング要求を台所リモコン１３に送信する（Ｓ２３）。このペアリング要求には、携帯端末装置３０のＩＤ情報およびアドレス情報（ＭＡＣアドレス）が含まれる。ＩＤ情報として、ＵＵＩＤ（Universally Unique Identifier）、ＧＵＩＤ（GloballyUnique Identifier）等が用いられる。
【００５１】
台所リモコン１３の制御部１３３は、アナウンスの送信から所定時間以内に携帯端末装置３０からペアリング要求を受信すると（Ｓ１３：ＹＥＳ）、ペアリング応答を携帯端末装置３０に送信し（Ｓ１４）、さらに、ペアリング結果をサーバ５０に送信して（Ｓ１５）、処理を終了する。このペアリング結果には、ペアリング要求に含まれた携帯端末装置３０のＩＤ情報およびアドレス情報とともに、給湯装置１０（ここでは、台所リモコン１３）のＩＤ情報（ＵＵＩＤ、ＧＵＩＤ等）が含まれる。他方、所定時間以内にペアリング要求を受信しなかった場合（Ｓ１３：ＮＯ）、制御部１３３は、ペアリング結果を送信することなく、処理を終了する。携帯端末装置３０側の制御部３０３では、台所リモコン１３からペアリング応答を受信して（Ｓ２４：ＹＥＳ）、処理を終了する。
【００５２】
次に、ペアリングが行われた給湯装置１０と携帯端末装置３０との間で行われる遠隔制御の流れについて説明する。
【００５３】
図４（ａ）は、携帯端末装置３０において管理される給湯装置１０と携帯端末装置３０とのペアリング情報の構成を示す図である。
【００５４】
図４（ａ）に示すように、携帯端末装置３０では、ペアリングを行った給湯装置１０のＩＤ情報（ここでは、台所リモコン１３のＩＤ情報）が管理されている。また、各給湯装置１０に対して、操作者が設定した名称が対応付けられている。名称の設定は、たとえば、受付画面においてペアリングの要求操作が行われた後に、名称設定用の画面が表示されて行われる。操作者は、自身にとって分かり易い名称を、各給湯装置１０に付することができる。携帯端末装置３０におけるペアリング情報の登録は、台所リモコン１３からペアリング応答を受信した後に行われる。ペアリング情報は、携帯端末装置３０の記憶部３０４に保持される。
【００５５】
図４（ｂ）、（ｃ）は、携帯端末装置３０を用いて遠隔制御を行う際に携帯端末装置３０に表示される画面を示す図である。
【００５６】
操作者が自身の携帯端末装置３０において給湯システム１のためのアプリケーションプログラムを起動した後、所定の操作を行うと、図４（ｂ）の選択画面５１０が表示される。この選択画面５１０には、メッセージ５１１と、選択キー群５１２と、確認ボタン５１３が含まれる。メッセージ５１１は、遠隔制御の対象を選択することを促す文章となっている。
【００５７】
選択キー群５１２には、選択候補を示す選択キー５１２ａが上下に並んで含まれている。選択候補は、図４（ａ）に示したペアリンク情報の名称によって規定される。各選択キー５１２ａには、それぞれ、図４（ａ）に示したペアリンク情報の名称が付されている。選択キー５１２ａは、指を選択キー群５１２の位置に当てて上下にスライドさせることにより、スクロールできる。操作者は、遠隔制御を行おうとする給湯装置１０に付した名称の選択キー５１２ａにタッチして、遠隔制御の対象を選択する。選択された選択キー５１２ａは、ハイライト表示される。選択対象を誤った場合、操作者は、再度、選択キー５１２ａにタッチする。これにより、選択が解除される。
【００５８】
こうして対象を選択した後、操作者は、確認ボタン５１３にタッチする。これにより、図４（ｃ）に示す選択画面５２０が表示される。操作者は、この選択画面５２０を用いて、遠隔制御の種別を選択するための操作を行う。
【００５９】
選択画面５２０には、メッセージ５２１と、選択ボタン５２２、５２３、５２４と、確定ボタン５２５と、戻るボタン５２６とが含まれている。メッセージ５２１は、遠隔制御の種別を選択することを促す文章となっている。選択ボタン５２２、５２３、５２４は、それぞれ、遠隔操作と２つの遠隔監視を遠隔制御の種別として選択するための操作部である。確定ボタン５２５は、選択処理を確定させるための操作部である。確定ボタン５２５は、選択ボタン５２２、５２３、５２４の何れか一方が選択された場合に操作可能となる。戻るボタン５２６は、画面を選択画面５１０に戻すための操作部である。
【００６０】
操作者は、選択ボタン５２２、５２３、５２４のうち、自身が行おうとする遠隔制御の種別に対応する選択ボタンにタッチして、遠隔制御の種別を選択する。選択された選択ボタンは、ハイライト表示される。選択対象を誤った場合、操作者は、再度、選択ボタンにタッチする。これにより、選択が解除される。画面を戻す場合、操作者は戻るボタン５２６にタッチする。
【００６１】
選択ボタン５２２、５２３、５２４の何れか一方が選択された後、操作者が確定ボタン５２５にタッチすると、選択ボタン５２２、５２３、５２４の選択に応じた遠隔制御のための画面が携帯端末装置３０の表示部３０１に表示される。即ち、選択ボタン５２２が選択された場合、遠隔操作のための遠隔操作画面８００が表示され、選択ボタン５２３、５２４が選択された場合、遠隔監視のための第１遠隔監視画面６００または第２遠隔監視画面７００が表示される。
【００６２】
図５は、第１遠隔監視画面６００を示す図である。図６（ａ）は、第２遠隔監視画面７００を示す図であり、図６（ｂ）は、遠隔操作画面８００を示す図である。
【００６３】
第１遠隔監視画面６００は、お湯の使用履歴（使用量）およびお風呂の使用履歴を監視できる画面である。図５を参照して、第１遠隔監視画面６００は、２つの領域６１０、６２０に区分されている。領域６１０には、名称表示部６１１が含まれる。名称表示部６１１には、遠隔監視が適用される給湯装置１０の名称が表示される。名称表示部６１１の表示には、図４（ａ）のペアリング情報に含まれる名称が用いられる。
【００６４】
領域６２０には、日付表示部６２１と、お湯・お風呂使用履歴表示部６２２とが含まれている。日付表示部６２１では、中央部に日付表示６２１ａが行われ、その左右両側に、日付戻し表示６２１ｂと日付送り表示６２１ｃとが行われる。日付戻し表示６２１ｂがタッチされると、日付が前の日に戻され、日付送り表示６２１ｃがタッチされると日付が次の日に送られる。
【００６５】
お湯・お風呂使用履歴表示部６２２には、日付表示６２１ａで示された日に使用されたお湯の合計使用量の表示６２２ａと、１時間ごとのお湯の使用量を示すグラフ６２２ｂとが含まれる。さらに、お湯・お風呂使用履歴表示部６２２には、日付表示６２１ａで示された日にお風呂が使用された時間帯が示されるチャート６２２ｃが含まれる。ここでは、浴槽に湯が張られた後保温が停止するまでの時間が、お風呂が使用された時間とされる。また、追い焚きまたは足し湯が行われた時間も、お風呂が使用された時間とされる。
【００６６】
給湯装置１０からサーバ５０に送信される状態情報には、１時間ごとのお湯の使用量と、湯張りが開始された時刻、湯張りから保温に移行した後に保温が停止した時刻、追い焚きの開始時刻および終了時刻、並びに、足し湯の開始時刻および終了時刻が含まれる。サーバ５０は、これら情報を、定期的に、これら情報を送信した給湯装置１０とペアリングされた携帯端末装置３０に送信する。これにより、携帯端末装置３０では、第１遠隔監視画面６００での情報表示が可能となる。
【００６７】
第２遠隔監視画面７００は、給湯装置１０の各種設定状態および入浴の有無を監視できる画面である。図６（ａ）を参照して、第２遠隔監視画面７００は、３つの領域７１０、７２０、７３０に区分されている。領域７１０には、名称表示部７１１と、給湯温度表示部７１２と、風呂温度表示部７１３と、風呂湯量表示部７１４と、浴槽画像７１５と、入浴時間表示部７１６と、が含まれている。
【００６８】
名称表示部７１１には、名称表示部６１１と同様、遠隔監視が適用される給湯装置１０の名称が表示される。給湯温度表示部７１２、風呂温度表示部７１３および風呂湯量表示部７１４には、それぞれ、随時、サーバ５０から携帯端末装置３０が受信した状態情報に基づいて、現在の給湯温度、風呂温度および風呂湯量の設定状態が示される。
【００６９】
第２遠隔監視画面７００を選択する選択ボタン５２４が選択された後に確定ボタン５２５がタッチされると、携帯端末装置３０からサーバ５０へ遠隔制御要求が送信される。この遠隔制御要求は、当該携帯端末装置３０のＩＤ情報と、操作者により選択された遠隔制御の対象の給湯装置１０のＩＤ情報を含む。サーバ５０は、遠隔制御要求が送られてくると、送信元の携帯端末装置３０への給湯温度、風呂温度、風呂湯量等の状態情報の送信を開始する。これにより、第２遠隔監視画面７００での設定状態に関する情報表示が可能となる。
【００７０】
浴槽画像７１５には、現在の風呂湯量の設定状態が浴槽に溜められる水の画像として表示される。浴槽に人が入浴中であることが状態情報に含まれている場合、浴槽画像７１５に、人が浴槽に入浴していることを示す画像Ｍ１が付加される。また、入浴時間表示部７１６には、状態情報に基づいて、浴槽に対する現在の入浴時間が表示される。
【００７１】
領域７２０には、画面が遠隔操作画面８００である場合に所定の設定等を行うためのボタン７２１〜７２４が表示される。ボタン７２１〜７２４は、それぞれ、追い焚き機能の設定、風呂自動機能の設定、風呂洗浄機能の設定および風呂タイマー機能の設定のためのボタンである。ここでは、画面が第２遠隔監視画面７００であるため、これらのボタンは無効化されている。領域７３０には、遠隔監視の対象となる機能を切り替えるための４つのボタンが表示される。
【００７２】
操作者は、第１遠隔監視画面６００および第２遠隔監視画面７００を参照することにより、名称表示部６１１、７１１に表示された給湯装置１０の状況を確認できる。図５の例では、操作者は、名称表示部６１１に表示された給湯装置１０における、お湯の使用履歴およびお風呂の使用履歴を確認できる。また、図６（ａ）の例では、操作者は、名称表示部６１１に表示された給湯装置１０における、風呂の状況を種々確認することができる。これにより、操作者は、名称表示部６１１、７１１に表示された給湯装置１０の場所から離れていても、当該給湯装置１０の状況を的確に把握できる。
【００７３】
遠隔操作画面８００は、携帯端末装置３０から給湯装置１０を遠隔操作するための画面である。図６（ｂ）を参照して、遠隔操作画面８００について説明する。遠隔操作画面８００のレイアウトは、図６（ａ）に示した第２遠隔監視画面７００と同様である。遠隔操作画面８００は、第２遠隔監視画面７００と同様、３つの領域８１０、８２０、８３０に区分されている。
【００７４】
領域８１０には、名称表示部８１１と、給湯温度設定部８１２と、風呂温度設定部８１３と、風呂湯量設定部８１４と、浴槽画像８１５と、が含まれる。名称表示部８１１には、名称表示部６１１、７１１と同様、当該給湯装置１０に付された名称が表示される。
【００７５】
給湯温度設定部８１２、風呂温度設定部８１３とおよび風呂湯量設定部８１４には、それぞれ、現在の給湯温度、風呂温度および風呂湯量の設定状態が示される。さらに、操作者は、給湯温度設定部８１２、風呂温度設定部８１３および風呂湯量設定部８１４に対する操作により、給湯温度、風呂温度および風呂湯量を変更できる。浴槽画像８１５には、現在の風呂湯量の設定状態が浴槽に溜められる水の画像として表示される。
【００７６】
領域８２０に含まれる各ボタン８２１〜８２４は、操作可能に有効化されている。ボタン８２１〜８２４は、図６（ａ）のボタン７２１〜７２４に対応する。操作者は、これらのボタン８２１〜８２４を操作することにより、名称表示部８１１に表示された給湯装置１０に対して、各ボタン８２１〜８２４に対応する設定を行うことができる。遠隔操作画面８００では、操作者からの設定操作に応じた情報が、随時、サーバ５０に送信され、さらに、サーバ５０から台所リモコン１３に送信される。これにより、遠隔操作の対象の給湯装置１０に所定の設定が行われる。
【００７７】
なお、図６（ａ）、（ｂ）に示すとおり、第２遠隔監視画面７００と遠隔操作画面８００とでは、領域７１０、８１０の背景色が互いに相違している。たとえば、領域７１０の背景色は黄色に設定され、領域８１０の背景色は緑色に設定される。これにより、操作者は、図６（ａ）、（ｂ）のように、第２遠隔監視画面７００と遠隔操作画面８００のレイアウトが同様であっても、この背景色により、遠隔操作と遠隔監視の何れを行っているかを明確に把握できる。よって、各種別の遠隔制御を、円滑に進めることができる。
【００７８】
さて、携帯端末装置３０の操作者は、第１遠隔監視画面６００のお湯の使用履歴やお風呂の使用履歴を監視することにより、その第１遠隔監視画面６００の対象である給湯装置１０が置かれた家の人（家族、親族など）の様子に変化がないかを見守ることができる。たとえば、お湯の使用やお風呂の使用が、通常に比べて著しく減ったり、長い期間なくなったりした場合、操作者は、その家の人が事故にあったり病気になったりしたのではないかと疑うことができ、その人と連絡を取るなどの行動を起こすことが可能となる。
【００７９】
本実施形態の給湯システム１では、操作者は、その都度、アプリケーションプログラムを起動するなどの携帯端末装置３０への操作を行って第１遠隔監視画面６００を確認しなければならない。このため、操作者はつい億劫になって監視を忘れがちになりやすい。こうなると、操作者は、給湯装置１０が置かれた家の人の様子の変化に気づくことができない虞がある。
【００８０】
そこで、本実施形態の給湯システム１では、給湯装置１０の所定動作、具体的には、お湯の使用に係る動作、即ち給湯動作とお風呂の使用に係る動作とが監視され、その給湯装置１０が置かれた家の人の様子の変化が疑われる場合に、その給湯装置１０とペアリングされた携帯端末装置３０に報知が行われる機能を備えている。以下、この機能について説明する。
【００８１】
本実施形態では、監視対象となる給湯装置１０の動作などが、最初に、携帯端末装置３０の表示部３０１に表示される設定画面において設定される。設定画面を用いた設定処理は、携帯端末装置３０の制御部３０３により実行される。記憶部３０４には、制御部３０３に設定処理を実行させるためのプログラムが記憶されている。
【００８２】
なお、設定処理は、ペアリングが終了したときに、自動的に開始されるようにするとよい。このようにすれば、操作者は、設定処理を忘れずに行うことができる。また、また、ペアリングを行う処理の中に設定処理が含まれるような構成とされた場合も、操作者は、設定処理を忘れずに行うことができる。
【００８３】
図７は、設定処理を示すフローチャートである。
【００８４】
図７を参照して、制御部３０３は、お湯の使用、即ち給湯動作と、お風呂の使用、即ちお風呂の使用に係る動作の何れを監視対象に設定するか選択するための対象設定画面を、設定画面として表示部３０１に表示させて、監視対象の設定を受け付ける（Ｓ３１）。操作者は、この対象設定画面に対して所望の動作を選択するための入力を行う。
【００８５】
図８（ａ）は、対象設定画面９１０の構成を示す図である。
【００８６】
対象設定画面９１０には、メッセージ９１１と、選択ボタン９１２、９１３と、確定ボタン９１４が含まれている。メッセージ９１１は、監視対象の選択を促す文章となっている。選択ボタン９１２、９１３は、それぞれ、お湯の使用とお風呂の使用を監視対象として選択するための操作部である。確定ボタン９１４は、監視対象の選択を確定させるための操作部である。確定ボタン９１４は、選択ボタン９１２、９１３の少なくとも一方が選択された場合に操作可能となる。選択ボタン９１２、９１３の両方を選択することも可能である。
【００８７】
操作者は、選択ボタン９１２、９１３のうち、自身が設定しようとする監視対象に対応する選択ボタンにタッチする。これにより、たとえば、タッチされた選択ボタンに所定の色が付されてハイライト表示される。選択を誤った場合、操作者は、再度、その選択ボタンにタッチする。これにより、選択が解除される。こうして、監視対象を選択した後、操作者は、確定ボタン９１４にタッチする。これにより、監視対象の選択が確定する。
【００８８】
図７に戻り、制御部３０３は、操作者により確定ボタン９１４が操作されて確定操作がなされると（Ｓ３２：ＹＥＳ）、選択された監視対象を記憶部３０４に登録する（Ｓ３３）。そして、制御部３０３は、報知に至ることとなるお湯が使用されない期間、即ち給湯動作が行われない期間と、報知に至ることとなるお風呂が使用されない期間、即ちお風呂の使用に係る動作が行われない期間とを設定するための期間設定画面を表示部３０１に表示させる（Ｓ３４）。操作者は、この期間設定画面に対して所望の期間の入力を行う。
【００８９】
図８（ｂ）、（ｃ）は、期間設定画面９２０の構成を示す図である。
【００９０】
期間設定画面９２０には、メッセージ９２１と、期間入力欄９２２、９２３と、確定ボタン９２４と、戻るボタン９２５とが含まれている。メッセージ９２１は、期間の入力を促す文章となっている。期間入力欄９２２、９２３は、それぞれ、報知に至ることとなるお湯が使用されない期間および報知に至ることとなるお風呂が使用されない期間を入力するための入力欄である。入力される期間は、たとえば、日にちとされる。期間入力欄９２２には、対象設定画面９１０でお湯の使用に対応する選択ボタン９１２が選択された場合に期間の入力が可能となり、期間入力欄９２３には、対象設定画面９１０でお風呂の使用に対応する選択ボタン９１３が選択された場合に期間の入力が可能となる。期間入力欄９２２、９２３は、入力ができないときにグレーアウト表示されるとよい。
【００９１】
操作者は、期間入力欄９２２、９２３のうち、入力可能な期間入力欄にタッチする。すると、期間設定画面９２０には、図８（ｃ）に示すように、タッチされた期間入力欄に隣接するように、数字が配列されたウィンドウ９２６が現れる。操作者は、ウィンドウ９２６を上下になぞることでウィンドウ９２６上の数字をスクロールさせることができる。操作者は、ウィンドウ９２６上の現れた所望の数字にタッチする。これにより、タッチされた数字が期間入力欄に表示される。なお、画面を戻す場合、操作者は戻るボタン９２５にタッチする。
【００９２】
制御部３０３は、期間入力欄９２２、９２３へ期間（日にち）の入力が行われた後、操作者により確定ボタン９２４が操作されて確定操作がなされると（Ｓ３５：ＹＥＳ）、入力された期間を記憶部３０４に登録する（Ｓ３６）。こうして、設定処理が終了する。
【００９３】
設定処理が完了すると、携帯端末装置３０の制御部３０３により、監視・報知処理の実行が開始される。記憶部３０４には、制御部３０３に監視・報知処理を実行させるためのプログラムが記憶されている。
【００９４】
図９（ａ）は、お湯の使用が選択されたときに実行される監視・報知処理を示すフローチャートであり、図９（ｂ）は、お風呂の使用が選択されたときに実行される監視・報知処理を示すフローチャートである。図１０（ａ）は、お湯の使用がない場合の報知ウィンドウ９３０の構成を示す図であり、図１０（ａ）は、お風呂の使用がない場合の報知ウィンドウ９３０の構成を示す図である。
【００９５】
図９（ａ）の監視・報知処理が開始されると、制御部３０３は、自身の携帯端末装置３０とペアリングされている給湯装置１０に関してサーバ５０から送られてくる１時間ごとのお湯の使用量に基づいて、その給湯装置１０について、設定処理で設定された期間の間、お湯の使用、即ち、給湯動作がなかったか否かを判定する（Ｓ４１）。制御部３０３は、設定期間の間、お湯の使用がないと判定すると（Ｓ４１：ＹＥＳ）、表示部３０１上に、図１０（ａ）に示す報知ウィンドウ９３０を立ち上げる（Ｓ４２）。表示部３０１が消灯している場合、黒い背景に重なるように報知ウィンドウ９３０が表示され、表示部３０１に何らかの画面が表示されている場合、その画面に重なるように報知ウィンドウ９３０が表示される。報知ウィンドウ９３０には、設定期間の間、お湯の使用がないことを知らせるメッセージ９３１ａと、確認ボタン９３２とが含まれる。
【００９６】
操作者は、報知ウィンドウ９３０のメッセージ９３１ａを確認すると、確認ボタン９３２にタッチする。制御部３０３は、確認ボタン９３２が操作されて確認操作がなされると（Ｓ４３：ＹＥＳ）、報知ウィンドウ９３０を閉じる（Ｓ４４）。こうして、図９（ａ）の監視・報知処理が終了する。
【００９７】
図９（ｂ）の監視・報知処理が開始されると、制御部３０３は、自身の携帯端末装置３０とペアリングされている給湯装置１０について、設定処理で設定された期間の間、お風呂の使用、即ち、お風呂の使用に係る動作がなかったか否かを判定する（Ｓ５１）。即ち、制御部３０３は、ペアリングされている給湯装置１０に関して、湯張りが開始された時刻、湯張りから保温に移行した後に保温が停止した時刻、追い焚きの開始時刻および終了時刻、並びに、足し湯の開始時刻および終了時刻に基づいて、湯張り、保温、追い焚きおよび足し湯の何れかが設定期間の間に行われたか否かを判定し、何れもが行われていない場合に風呂の使用がなかったと判定する。
【００９８】
制御部３０３は、設定期間の間、お風呂の使用がないと判定すると（Ｓ５１：ＹＥＳ）、表示部３０１上に、図１０（ｂ）に示す報知ウィンドウ９３０を立ち上げる（Ｓ５２）。報知ウィンドウ９３０には、設定期間の間、お風呂の使用がないことを知らせるメッセージ９３１ｂと、確認ボタン９３２とが含まれる。
【００９９】
制御部３０３は、確認ボタン９３２が操作されて確認操作がなされると（Ｓ５３：ＹＥＳ）、報知ウィンドウ９３０を閉じる（Ｓ５４）。こうして、図９（ｂ）の監視・報知処理が終了する。
【０１００】
なお、Ｓ４２およびＳ５２において報知ウィンドウ９３０が表示部３０１に表示される際、スピーカからアラーム音が出力されてもよい。また、報知ウィンドウ９３０に替えて、あるいは加えて、設定期間の間、お湯の使用またはお風呂の使用がないことを知らせる音声がスピーカから出力されてもよい。
【０１０１】
操作者は、第１遠隔監視画面６００によるお湯の使用履歴やお風呂の使用履歴の監視を怠っていても、報知ウィンドウ９３０による報知が行われることで、給湯装置１０が置かれた家の人（家族、親族）の様子の変化に気づくことができる。これにより、その人に連絡を取ってみるなど、適正な対応を採ることが可能となる。
【０１０２】
＜実施形態の効果＞
本実施形態によれば、以下の効果が奏され得る。
【０１０３】
給湯装置１０が所定期間の間に所定動作、具体的には給湯動作およびお風呂の使用に係る動作のうち少なくとも一つの動作を行わない場合に、携帯端末装置３０の表示部３０１に報知が行われる。よって、操作者は、給湯装置１０が置かれた家の人（家族、親族）の様子の変化に気づくことができ、その人に連絡を取るなどの適正な対応を採ることが可能となる。
【０１０４】
また、設定画面（対象設定画面９１０、期間設定画面９２０）上で所定期間および所定動作が設定できるので、操作者は、見守りたい家の人の状況（生活習慣等）に応じて所定期間および所定動作を決めることができる。
【０１０５】
＜変更例＞
以上、本発明の実施形態について説明したが、本発明は、上記実施形態に限定されるものではなく、また、本発明の適用例も、上記実施形態の他に、種々の変更が可能である。
【０１０６】
たとえば、上記実施形態では、給湯装置１０の動作として給湯動作およびお風呂の使用に係る動作が所定期間の間行われない場合に、携帯端末装置３０において報知が行われた。しかしながら、監視の対象となる給湯装置１０の動作は、上記の動作に限られない。たとえば、給湯装置１０がガス給湯装置である場合に、ガスの使用に係る動作、即ちガス供給動作が所定期間の間行われない場合に報知が行われてもよい。
【０１０７】
また、上記実施形態では、図７の設定処理および図９（ａ）、（ｂ）の監視・報知処理が携帯端末装置３０の制御部３０３により実行された。しかしながら、携帯端末装置３０の制御部３０３とサーバ５０の制御部５０１または台所リモコン１３の制御部１３３とが協働することにより、図７の設定処理および図９（ａ）、（ｂ）の監視・報知処理が実行されてもよい。この場合、図７の設定処理において、Ｓ３１、Ｓ３２、Ｓ３４およびＳ３５の処理が、携帯端末装置３０の制御部３０３により実行され、Ｓ３３およびＳ３６の処理がサーバ５０の制御部５０１または台所リモコン１３の制御部１３３により実行される。設定された監視対象や期間は、サーバ５０の記憶部５０２または台所リモコン１３の記憶部１３４に記憶される。また、図９（ａ）の監視・報知処理において、Ｓ４１の判定が、サーバ５０の制御部５０１または台所リモコン１３の制御部１３３により実行され、この判定に基づいて以降のＳ４２〜Ｓ４４の処理が携帯端末装置３０の制御部３０３により実行される。同様に、図９（ｂ）の監視・報知処理において、Ｓ５１の判定が、サーバ５０の制御部５０１または台所リモコン１３の制御部１３３により実行され、この判定に基づいて以降のＳ５２〜Ｓ５４の処理が携帯端末装置３０の制御部３０３により実行される。携帯端末装置３０の記憶部３０４とサーバ５０の記憶部５０２または台所リモコン１３の記憶部１３４とに、設定処理および監視・報知処理の実行に必要なプログラムが記憶される。このような構成とされた場合、携帯端末装置３０の制御部３０３とサーバ５０の制御部５０１または台所リモコン１３の制御部１３３とにより、特許請求の範囲に記載の「制御部」が構成されることとなる。
【０１０８】
さらに、上記実施形態では、所定期間および所定動作の双方が設定可能とされたが、所定期間および所定動作のうち何れか一方のみが設定可能とされてもよい。
【０１０９】
上記実施形態では、給湯装置１０を構成する台所リモコン１３に無線通信部１３６が設けられたが、無線通信部が給湯器１１に設けられて給湯器１１がルータ２０に接続されてもよい。この場合、上記実施形態における台所リモコン１３による制御は、給湯器１１の制御部１１１によって行われる。あるいは、給湯器１１、浴室リモコン１２および台所リモコン１３以外に無線通信部を備えた制御ユニットが給湯装置１０に配置され、この制御ユニットがルータ２０に接続されてもよい。この場合、上記実施形態における台所リモコン１３による制御は、制御ユニットの制御部によって行われる。
【０１１０】
さらに、上記実施形態では、給湯システム１は、給湯装置１０に対する遠隔操作と遠隔監視の双方を行えるものであった。しかしながら、給湯システム１は、少なくとも遠隔監視を行えるものであればよい。
【０１１１】
この他、本発明の実施形態は、特許請求の範囲に記載の範囲で適宜種々の変更可能である。
【符号の説明】
【０１１２】
１  給湯システム
１０  給湯装置
１１  給湯器
１３  台所リモコン
３０  携帯端末装置
５０  サーバ
１３３  制御部
１３６  無線通信部（通信部）
３０１  表示部（報知部）
３０２  入力部
３０３  制御部
５０１  制御部
【図１】
2020036242.tif 000003
【図２】
2020036242.tif 000004
【図３】
2020036242.tif 000005
【図４】
2020036242.tif 000006
【図５】
2020036242.tif 000007
【図６】
2020036242.tif 000008
【図７】
2020036242.tif 000009
【図８】
2020036242.tif 000010
【図９】
2020036242.tif 000011
【図１０】
2020036242.tif 000012